(57)【要約】  マイコンにより電源をオン／オフするリレーを駆動させる電子レンジで、食べ物の調理に必要なマグネトロンの出力レベルが調節される電子レンジにおいて、電子レンジの駆動時間及び休止時間によってマグネトロンの出力レベルが自動調節されるようにすることによって、電子レンジの過熱を防止できるようにした電子レンジの過熱防止方法を提供する。  マグネトロン出力レベル制御装置が備えられた電子レンジの過熱防止方法において、（ａ）使用者から、現在調理に対してマグネトロンの出力レベル及び調理時間を含めた調理条件及び調理開始命令を受ける段階と、（ｂ）前記マグネトロンの出力レベルがあらかじめ決定された前記出力レベル以上である場合、以前調理が終わった時点から前記現在調理が始まる時点までの休止時間を確認する段階と、（ｃ）前記確認された休止時間に基づいて基本出力時間とマグネトロン出力レベル変更基準時間を決定し、マグネトロン出力レベル変更駆動時間があらかじめ決定された前記マグネトロン出力レベル変更基準時間を経過する場合、前記マグネトロン出力レベルをあらかじめ決定された前記出力レベルに変更して動作させる段階とを含む構成とした。【選択図】図２
2009520177.tif 000002
【特許請求の範囲】
【請求項１】
マグネトロン出力レベル制御装置が備えられた電子レンジの過熱防止方法であって、
（ａ）使用者から、現在調理に対してマグネトロンの出力レベル及び調理時間を含めた調理条件及び調理開始命令を受ける段階と、
（ｂ）前記マグネトロンの出力レベルがあらかじめ定められた出力レベル以上である場合、以前調理が終わった時点から前記現在調理が始まる時点までの休止時間を確認する段階と、
（ｃ）前記確認された休止時間に基づいて基本出力時間とマグネトロン出力レベル変更基準時間を決定し、マグネトロン出力レベル変更駆動時間があらかじめ設定された前記マグネトロン出力レベル変更基準時間を経過する場合、前記マグネトロンの出力レベルをあらかじめ決定された出力レベルに変更して動作させる段階と、
を含んでなる電子レンジの過熱防止方法。
【請求項２】
前記段階（ｃ）において、基本出力時間では前記マグネトロン出力レベルを前記調理条件の値にすることを特徴とする、請求項１に記載の電子レンジの過熱防止方法。
【請求項３】
前記基本出力時間は、前記休止時間によって別々に設定されたことを特徴とする、請求項１に記載の電子レンジの過熱防止方法。
【請求項４】
前記基本出力時間は、前記休止時間によって別々に設定されたことを特徴とする、請求項２に記載の電子レンジの過熱防止方法。
【請求項５】
前記出力レベル変更基準時間は、前記以前調理時間と前記現在調理の経過時間と加重値との和に決定されることを特徴とする、請求項１に記載の電子レンジの過熱防止方法。
【請求項６】
前記以前調理時間は、前記休止時間によって範囲が決定される前記以前調理時間が合算された値に決定されることを特徴とする、請求項５に記載の電子レンジの過熱防止方法。
【請求項７】
前記加重値は、前記休止時間によって決定されることを特徴とする、請求項５に記載の電子レンジの過熱防止方法。
【請求項８】
マグネトロン出力レベル制御装置が備えられた電子レンジの過熱防止方法であって、
（ａ）使用者から、現在調理に対してマグネトロンの出力レベル及び調理時間を含めた調理条件及び調理開始命令を受ける段階と、
（ｂ）前記マグネトロンの出力レベルがあらかじめ決定された出力レベル以上である場合、以前調理が終わった時点から前記現在調理が始まる時点までの休止時間を確認する段階と、
（ｃ）前記休止時間があらかじめ設定された時間以内の場合、出力レベル変更カウンター値を増加させ、前記あらかじめ設定された時間を外れる場合、前記出力レベル変更カウンター値を初期化させる段階と、
（ｄ）前記出力レベル変更カウンター値があらかじめ設定された値以上である場合、前記マグネトロンの出力レベルをあらかじめ設定された出力レベルに変更して動作させ、前記出力レベル変更カウンター値が前記あらかじめ設定された値未満である場合、前記確認された休止時間に基づいて基本出力時間とマグネトロン出力レベル変更基準時間を決定し、マグネトロン出力レベル変更駆動時間があらかじめ設定された前記マグネトロン出力レベル変更基準時間を経過する場合、前記マグネトロンの出力レベルをあらかじめ設定された前記出力レベルに変更して動作させる段階と、
を含んでなる電子レンジの過熱防止方法。
【請求項９】
前記段階（ｄ）において、基本出力時間では前記マグネトロン出力レベルを前記調理条件の値にすることを特徴とする、請求項８に記載の電子レンジの過熱防止方法。
【請求項１０】
前記基本出力時間は、前記休止時間によって別々に設定されたことを特徴とする、請求項８に記載の電子レンジの過熱防止方法。
【請求項１１】
前記基本出力時間は、前記休止時間によって別々に設定されたことを特徴とする、請求項９に記載の電子レンジの過熱防止方法。
【請求項１２】
前記出力レベル変更基準時間は、前記以前調理時間と前記現在調理の経過時間と加重値との和に決定されることを特徴とする、請求項８に記載の電子レンジの過熱防止方法。
【請求項１３】
前記以前調理時間は、前記休止時間によって範囲が決定される前記以前調理時間が合算された値に決定されることを特徴とする、請求項１２に記載の電子レンジの過熱防止方法。
【請求項１４】
前記加重値は、前記休止時間によって決定されることを特徴とする、請求項１２に記載の電子レンジの過熱防止方法。
【発明の詳細な説明】
【技術分野】
【０００１】
本発明は、電子レンジの過熱防止方法に関するものである。
【背景技術】
【０００２】
一般に、電子レンジは、略２４５０ＭＨｚの電磁波の放射によって金属製ケース中の食品がそれ自体の分子運動によって発熱する原理を応用した調理機器と知られている。
【０００３】
かかる電子レンジでは、略２４５０ＭＨｚの電波がマグネトロンから発振して調理室の内部に誘導され、誘導された高周波によって、食品を構成している分子が‘＋’と‘−’に帯電される。この時、電波による電界の‘＋’側では分子の一側が‘−’に帯電され、電界の‘−’側では分子の他側が‘＋’に帯電される。
【０００４】
このような電界の極性は高周波電波によって１秒につき２４億５千万回変化し、これによる食品分子同士の酷い衝突によって摩擦熱が生じ、食品が加熱されるわけである。
【０００５】
図１は、従来の電子レンジを示す構成図である。
【０００６】
図１に示すように、従来の電子レンジは、商用交流電源を供給する電源端子に、各種電気部品を冷却する冷却ファンを駆動させるファンモーター５０が連結され、このファンモーター５０に、調理室のトレイを回転させるトレイモーター６０が並列に連結され、電源端子は、マグネトロンに高圧電源を供給する高圧トランス７０に連結される。
【０００７】
また、電源端子とファンモーター５０との間に、ヒューズ８０とドアの開閉によってオン／オフされるドアスイッチ９０とが直列に連結され、また、電源端子とファンモーター５０との間にサブリレー３０が連結され、ファンモーター５０と高圧トランス７０の１次コイルとの間にメインリレー４０が連結される。
【０００８】
また、制御部２０は、キー入力部１０から入力されたキー信号に応じてメインリレー４０とサブリレー３０をオン／オフ制御する制御信号を出力し、サブリレー３０は、制御部２０の制御信号に応じてオン／オフされ、電源端子から供給される商用交流電源をファンモーター５０、トレイモーター６０及び高圧トランス７０に供給する、または、遮断する。なお、メインリレー４０は、制御部２０の制御信号に応じてオン／オフされ、電源端子から供給される商用交流電源を高圧トランス７０に供給する、または、遮断する。
【０００９】
このような従来の電子レンジでは、高圧トランスに電源を供給しマグネトロンを長時間にわたって連続して駆動すると、高圧トランスをはじめとする各種電気部品に過熱が発生する問題があり、よって、調理時間に基づいて出力レベルを制御してきた。
【発明の開示】
【発明が解決しようとする課題】
【００１０】
しかしながら、従来の電子レンジでは、調理時間に基づいて出力レベルが定められるので、休止時間無しで連続して調理をしたり、短い休止時間間隔で連続して調理をしたりする場合、以前調理後の電子レンジの内部温度が考慮されず、過熱による部品損傷につながるという問題点があった。
【００１１】
本発明は上記の問題点を解決するためのもので、その目的は、電子レンジの駆動時間及び休止時間に基づいてマグネトロンの出力レベルが自動調節されるようにすることによって、電子レンジの過熱を防止できるようにした電子レンジの過熱防止方法を提供することにある。
【課題を解決するための手段】
【００１２】
上記の目的を達成するための本発明に係る電子レンジの過熱防止方法は、マグネトロン出力レベル制御装置が備えられた電子レンジの過熱防止方法であって、（ａ）使用者から、現在調理に対してマグネトロンの出力レベル及び調理時間を含めた調理条件及び調理開始命令を受ける段階と、（ｂ）前記マグネトロン出力レベルがあらかじめ決定された出力レベルである場合、以前調理が終わった時点から前記現在調理が始まる時点までの休止時間を確認する段階と、（ｃ）前記確認された休止時間に基づいて基本出力時間とマグネトロン出力レベル変更基準時間を決定し、マグネトロン出力レベル変更駆動時間があらかじめ設定された前記マグネトロン出力レベル変更基準時間を経過する場合、前記マグネトロンの出力レベルをあらかじめ決定された前記出力レベルに変更して動作させる段階と、を含んでなることを特徴とする電子レンジの過熱防止方法を提供する。
【発明の効果】
【００１３】
本発明の電子レンジの過熱防止方法によれば、使用者がマグネトロンの出力レベルを７０％以下に設定して調理をする場合にはそのまま動作するが、７０％以上に設定する場合には、以前調理時間及び休止時間を考慮し、マグネトロンの出力レベルが自動で変更されるようにしたため、部品の過熱を效率的に防止できると共に、調理時間の短い場合には調理性能の低下を防止することが可能になる。
【発明を実施するための最良の形態】
【００１４】
以下、添付の図面を参照しつつ、本発明に係る電子レンジの過熱防止方法の好適な実施例について詳細に説明する。まず、下記の説明における用語について定義する。
【００１５】
Ｔ：使用者により設定された現在調理時間を意味する。
【００１６】
ｔｄ：現在調理開始前に電子レンジが動作されなかった時間を意味する。すなわち、以前調理が終了した時点から現在調理が始まるまでの休止時間を意味する。
【００１７】
特に、休止時間は、以前調理が時間的に終了した時間だけでなく、動作中に電子レンジのドアが開いたり、一時停止、停止または取消キーが押され、動作が止まった時点から再び調理開始キーを押す時点まで経過した時間も含む。
【００１８】
Ｔ１：以前調理動作時間であり、現在調理以前に動作した以前調理の動作時間を意味する。
【００１９】
ただし、休止時間ｔｄが５分以内である場合は、以前調理時間よりも以前に動作した調理時間まで合算した調理時間を意味する。例えば、１０分調理＋２５分以内の休止＋現在調理の場合、現在調理で出力レベルを変更するための条件に必要なＴ１は１０分であり、１０分調理＋２分休止＋１０分調理＋２分休止＋現在調理の場合、現在調理で出力レベルを変更するための条件に必要なＴ１は、１０分＋１０分、つまり、２０分となる。
【００２０】
Ｔ２：出力レベル変更駆動時間であり、調理途中で出力レベルを変更しようとする時間を演算するための値を意味し、“Ｔ２＝Ｔ１＋ｔ２＋加重値”となる。
【００２１】
ここで、加重値は、Ｔ１値とｔｄによって定められる値で、０，５，１０分等になりうる。
【００２２】
ｔ２：現在調理の経過時間を意味する。
【００２３】
Ａ：基本出力時間であり、調理を始める時、出力レベル変更と関連したいずれの条件よりも優先して、一定時間の間に使用者により設定された出力レベルで動作するようにするための時間を意味する。
【００２４】
すなわち、調理が始まると、出力レベル変更イベントが発生しない限り、Ａ分間は使用者により設定された出力レベルで動作する。
【００２５】
本発明においてＡ値はｔｄの範囲によって０，５，１３分のいずれかの値となる。
【００２６】
Ｚ：出力レベル変更カウンター値で、以前調理動作と次の調理動作間の休止時間（ｔｄ）が２５分以内の時に１ずつ増える値を意味する。したがって、Ｚ値が４以上になると、すなわち、以前調理が４回以上連続して行われた後、現在調理が２５分以内に始まる場合、使用者が出力レベルを８０％以上に設定しても、休止時間の範囲による初期Ａ分間は、使用者により設定された出力レベルで動作せず、直ちに出力レベルを７０％として動作するようにする値である。
【００２７】
最初使用条件：以前調理動作と現在調理動作間の休止時間ｔｄが２５分を越える条件を意味する。この時、Ｚは１に転換される。
【００２８】
以下、図２〜図４を参照して、本発明による電子レンジの過熱防止方法について説明する。
【００２９】
図２〜図４に示すように、本発明による電子レンジの過熱防止方法は、まず、図２の段階Ｓ１１で、以前調理動作時間Ｔ１と出力レベル変更カウンター値Ｚを０に初期化させた後、段階Ｓ１２で、使用者が所定の食べ物を調理するために調理時間Ｔとマグネトロンの出力レベルＰ／Ｌを設定した状態で、調理開始命令が入力されると、段階Ｓ１３では、出力レベルＰ／Ｌ、すなわち、マグネトロンの出力レベルが７０％以下か判断する。
【００３０】
段階Ｓ１３での判断結果、出力レベルが７０％以下である場合には、使用者入力条件で動作し、出力レベルが７０％を超過すると、段階Ｓ１５に進み、休止時間ｔｄが５以下か判断する。
【００３１】
段階Ｓ１５での判断結果、ｔｄが５を超過する場合、図３の段階Ｓ６１に進み、５＜ｔｄ≦１５か判断し、ｔｄが５以下である場合には、段階Ｓ１７に進み、現在調理の経過時間ｔ２を０に初期化した後、段階Ｓ１９で、ＺにＺ＋１を入力する。
【００３２】
以降、段階Ｓ２１では、Ｚが４以上か判断し、４以上である場合には段階Ｓ４５に進み、基本出力時間Ａに０を入力し、Ｚが４未満である場合には、段階Ｓ２３で、Ａに休止時間ｔｄによって決定された５を入力する。
【００３３】
続いて、段階Ｓ２５では、出力レベル変更駆動時間Ｔ２にＴ１＋ｔ２を入力し、段階Ｓ２７では、ｔ２のカウンターを増加させ、段階Ｓ２９乃至段階Ｓ３２を通じてＡ分間、使用者により設定された出力レベルで動作させる。
【００３４】
この時、段階Ｓ３１では、Ａ分間、使用者により設定された出力レベルで動作させながら、現在調理経過時間ｔ２が使用者により設定された調理時間Ｔを経過すると、段階Ｓ３９に進んで動作を止め、段階Ｓ３３では、出力レベル変更駆動時間Ｔ２が、休止時間ｔｄに基づいて決定されたマグネトロン出力レベル変更基準時間である３０分以上か判断する。
【００３５】
段階Ｓ３３での判断結果、Ｔ２が３０分以上でない場合には段階Ｓ２７に戻り、Ｔ２が３０分以上である場合には段階Ｓ３５に進み、出力レベルを７０％に転換した後、段階Ｓ３７で、現在調理経過時間ｔ２が使用者により設定された調理時間Ｔを経過したか判断する。
【００３６】
段階Ｓ３７での判断結果によって、ｔ２が調理時間Ｔを経過するまで、すなわち、現在調理が終了するまで、出力レベルを７０％に転換した状態で段階Ｓ３５を繰り返し、調理時間Ｔが経過した場合には段階Ｓ３９に進み、動作を止める。
【００３７】
以降、段階Ｓ４１では、Ｔ１にＴ２を入力して以前調理動作時間を累積し、段階Ｓ４３では、休止時間ｔｄをカウントし始め、使用者から動作命令が入力されるまでｔｄを増加させる。
【００３８】
すなわち、ｔｄが５分以下である場合、次の調理時のＴ１値は、現在調理の経過時間ｔ２のみ入力されるのではなく、以前調理動作時間まで合算されたＴ２（＝Ｔ１＋ｔ２）値がＴ１値となる。
【００３９】
一方、段階Ｓ４５以降には、段階Ｓ４７に進み、出力レベルを７０％に変更して動作した後、段階Ｓ４９で現在調理経過時間ｔ２が使用者により設定された調理時間Ｔを経過したか判断する。
【００４０】
段階Ｓ４９での判断結果によって、ｔ２が調理時間Ｔを経過するまで、すなわち、現在調理が終了するまで出力レベルを７０％に転換した状態で段階Ｓ４７を繰り返し、調理時間Ｔが経過した場合、段階Ｓ５１に進んで動作を止める。
【００４１】
以降、段階Ｓ５３では、Ｔ１にＴ２を入力して以前調理動作時間を累積した後、再び段階Ｓ４３に進み、休止時間ｔｄのカウントを始め、使用者から動作命令が入力されるまでｔｄを増加させる。
【００４２】
一方、図３に示すように、段階Ｓ６１での判断結果、５＜ｔｄ≦１５でない場合には、図４の段階Ｓ１３５に進み、１５＜ｔｄ≦２５か判断する。
【００４３】
そして、５＜ｔｄ≦1５の場合には、段階Ｓ６３に進み、ｔ２を０に初期化させた後、段階Ｓ６５で、ＺにＺ＋１を入力する。
【００４４】
続いて、段階Ｓ６７では、Ｚが４以上か判断し、４以上である場合には、段階Ｓ４５でＡに０を入力し、Ｚが４未満である場合には、段階Ｓ６９でＡに５を入力する。
【００４５】
続いて、段階Ｓ７１では、Ｔ１が１０以下か判断し、１０以下でない場合には、段階Ｓ９３で、１０＜Ｔ１≦１５か判断し、１０以下である場合には、段階Ｓ７３で、Ｔ２にＴ１＋ｔ２＋１０を入力した後、段階Ｓ７５でｔ２のカウンターを増加させ、段階Ｓ７７乃至段階Ｓ８０を通じてＡ分間、使用者により設定された出力レベルで動作させる。
【００４６】
この時、段階Ｓ７９では、Ａ分間、使用者により設定された出力レベルで動作させながら、現在調理経過時間ｔ２が使用者により設定された調理時間Ｔを経過する場合、段階Ｓ８７に進んで動作を止め、段階Ｓ８１ではＴ２が３０分以上か判断する。
【００４７】
段階Ｓ８１での判断結果、Ｔ２が３０分以上でない場合には段階Ｓ７３に戻り、Ｔ２が３０分以上である場合には、段階Ｓ８３で、出力レベルを７０％に転換した後、段階Ｓ８５で、現在調理経過時間ｔ２が使用者により設定された調理時間Ｔを経過したか判断する。
【００４８】
段階Ｓ８５での判断結果によって、ｔ２が調理時間Ｔを経過するまで、すなわち、現在調理が終了するまで出力レベルを７０％に転換した状態で段階Ｓ８３を繰り返し、調理時間Ｔが経過した場合、段階Ｓ８７に進んで動作を止める。
【００４９】
その後、段階Ｓ８９では、Ｔ１にｔ２を入力し、段階Ｓ９１では休止時間ｔｄをカウントし始め、使用者から動作命令が入力されるまでｔｄを増加させる。
【００５０】
一方、段階Ｓ９３での判断結果、１０＜Ｔ１≦１５でない場合、すなわち、１５を超過する場合、段階Ｓ１１５でＴ２にＴ１＋ｔ２を入力し、１０＜Ｔ１≦１５である場合、段階Ｓ９５でＴ２にＴ１＋ｔ２＋５を入力した後、段階Ｓ９７でｔ２のカウンターを増加させ、段階Ｓ９９乃至段階Ｓ１０２を通じて、使用者により設定された出力レベルでＡ分間動作させる。
【００５１】
この時、段階Ｓ１０１では使用者により設定された出力レベルでＡ分間動作させながら、現在調理経過時間ｔ２が使用者により設定された調理時間Ｔを経過する場合、段階Ｓ１０９に進んで動作を止め、段階Ｓ１０３ではＴ２が３０分以上か判断する。
【００５２】
段階Ｓ１０３での判断結果、Ｔ２が３０分以上でないと段階Ｓ９５に戻り、Ｔ２が３０分以上であると段階Ｓ１０５に進み、出力レベルを７０％に転換した後、段階Ｓ１０７で、現在調理経過時間ｔ２が使用者により設定された調理時間Ｔを経過したか判断する。
【００５３】
段階Ｓ１０７での判断結果によって、ｔ２が調理時間Ｔを経過するまで、すなわち、現在調理が終了するまで出力レベルを７０％に転換した状態で段階Ｓ１０５を繰り返し、調理時間Ｔが経過すると、段階Ｓ１０９に進んで動作を止める。
【００５４】
その後、段階Ｓ１１１ではＴ１にｔ２を入力し、段階Ｓ１１３では休止時間ｔｄをカウントし始め、使用者から動作命令が入力されるまでｔｄを増加させる。
【００５５】
一方、段階Ｓ１１５の後には、段階Ｓ１１７でｔ２のカウンターを増加させ、段階Ｓ１１９乃至段階Ｓ１２２を通じて、Ａ分間、使用者により設定された出力レベルで動作させる。
【００５６】
この時、段階Ｓ１２１では、Ａ分間、使用者により設定された出力レベルで動作させながら、現在調理経過時間ｔ２が使用者により設定された調理時間Ｔを経過する場合、段階Ｓ１０９に進んで動作を止め、段階Ｓ１２３では、Ｔ２が３０分以上か判断する。
【００５７】
段階Ｓ１２３での判断結果、Ｔ２が３０分以上でない場合は段階Ｓ１１５に戻り、Ｔ２が３０分以上であると段階Ｓ１２５に進み、出力レベルを７０％に転換した後、段階Ｓ１２７で、現在調理経過時間ｔ２が使用者により設定された調理時間Ｔを経過したか判断する。
【００５８】
段階Ｓ１２７での判断結果によって、ｔ２が調理時間Ｔを経過するまで、すなわち、現在調理が終了するまで出力レベルを７０％に転換した状態で段階Ｓ１２５を繰り返し、調理時間Ｔが経過すると、段階Ｓ１２９に進んで動作を止める。
【００５９】
続いて、段階Ｓ１３１ではＴ１にｔ２を入力し、段階Ｓ１３３では休止時間ｔｄをカウントし始め、使用者から動作命令が入力されるまでｔｄを増加させる。
【００６０】
一方、図４に示すように、段階Ｓ１３５での判断結果、１５＜ｔｄ≦２５でないと、段階Ｓ１６５でｔ２を０に初期化させ、１５＜ｔｄ≦２５以下であると、段階Ｓ１３７で、ｔ２を０に初期化させた後、段階Ｓ１３９で、ＺにＺ＋１を入力する。
【００６１】
その後、段階Ｓ１４１では、Ｚが４以上か判断し、４以上であると、図２の段階Ｓ４５に進み、Ａに０を入力し、Ｚが４未満であると、段階Ｓ１４３に進み、Ａに１３を入力する。
【００６２】
続いて、段階Ｓ１４５では、Ｔ２にＴ１＋ｔ２を入力し、段階Ｓ１４７ではｔ２のカウンターを増加させ、段階Ｓ１４９乃至段階Ｓ１５２を通じてＡ分間、使用者により設定された出力レベルで動作させる。
【００６３】
この時、段階Ｓ１５１では、Ａ分間、使用者により設定された出力レベルで動作させながら、現在調理経過時間ｔ２が使用者により設定された調理時間Ｔを経過すると、段階Ｓ１５９に進んで動作を止め、段階Ｓ１５３では、Ｔ２が３０分以上か判断する。
【００６４】
段階Ｓ１５３での判断結果、Ｔ２が３０分以上でないと、段階Ｓ１４５に戻り、Ｔ２が３０分以上であると、段階Ｓ１２５で出力レベルを７０％に転換した後、段階Ｓ１５７で、現在調理経過時間ｔ２が使用者により設定された調理時間Ｔを経過したか判断する。
【００６５】
段階Ｓ１５７での判断結果によって、ｔ２が調理時間Ｔを経過するまで、すなわち、現在調理が終了するまで出力レベルを７０％に転換した状態で段階Ｓ１５５を繰り返し、調理時間Ｔが経過すると、段階Ｓ１５９に進んで動作を止める。
【００６６】
続いて、段階Ｓ１６１では、Ｔ１にｔ２を入力し、段階Ｓ１６３では、休止時間ｔｄをカウントし始め、使用者から動作命令が入力されるまでｔｄを増加させる。
【００６７】
一方、段階Ｓ１６５以降には、段階Ｓ１６７でＺに１を入力し、段階Ｓ１６９でＡに０を入力する。
【００６８】
続いて、段階Ｓ１７１で、Ｔ２にｔ２を入力し、段階Ｓ１７３でｔ２のカウンターを増加させ、段階Ｓ１７５乃至段階Ｓ１７８を通じて、Ａ分間、使用者により設定された出力レベルで動作させる。
【００６９】
この時、段階Ｓ１７７では、Ａ分間、使用者により設定された出力レベルで動作させながら、現在調理経過時間ｔ２が使用者により設定された調理時間Ｔを経過すると、段階Ｓ１８５に進んで動作を止め、段階Ｓ１７９では、Ｔ２が２５分以上か判断する。
【００７０】
段階Ｓ１７９での判断結果、Ｔ２が２５分以上でないと段階Ｓ１７１に戻り、Ｔ２が２５分以上であると段階Ｓ１８１に進み、出力レベルを７０％に転換した後、段階Ｓ１８３で、現在調理経過時間ｔ２が使用者により設定された調理時間Ｔを経過したか判断する。
【００７１】
段階Ｓ１８３での判断結果によって、ｔ２が調理時間Ｔを経過するまで、すなわち、現在調理が終了するまで、出力レベルを７０％に転換した状態で段階Ｓ１８１を繰り返し、調理時間Ｔが経過すると、段階Ｓ１８５に進んで動作を止める。
【００７２】
以降、段階Ｓ１８７ではＴ１にｔ２を入力し、段階Ｓ１８９では休止時間ｔｄをカウントし始め、使用者から動作命令が入力されるまでｔｄを増加させる。
【００７３】
したがって、休止時間が５分以内と連続動作する場合は、以前の調理時間を現在調理時間に合算することで、連続調理による過熱を防止でき、休止時間が５分〜１５分の場合には、Ｔ１を１０分以下、１０＜Ｔ１＜１５分、１５分以上と分類し、各条件別に、Ｔ１値に＋１０、＋５、＋０の加重値を追加することによって、３回以上連続調理時の問題点を解決した。
【００７４】
特に、段階Ｓ１４３でＡを１３分とし、段階Ｓ１６９でＡを０とした理由は、それぞれの休止時間が装備の熱を冷ますのに充分な時間で、電子レンジの部品に無理を与えない範囲の値だと判断したからであり、段階Ｓ１７９でＴ２が２５分以上か判断した理由は、他の条件と違い、Ａが０であるからである。
【００７５】
一方、Ｚ値は、最初のマイコンリセット時には０に設定され、電子レンジの継続した使用中には１ずつ増加するが、ｔｄが２５分以上である場合に１に設定されるようにすることが好ましい。
【００７６】
本発明の電子レンジの過熱防止方法は、以上の実施例に限定されず、本発明の技術思想の範囲内で様々に変形して実施可能である。
【図面の簡単な説明】
【００７７】
【図１】従来の電子レンジを示す回路図である。
【図２】本発明による電子レンジの過熱防止方法を示すフローチャートである。
【図３】本発明による電子レンジの過熱防止方法を示すフローチャートである。
【図４】本発明による電子レンジの過熱防止方法を示すフローチャートである。
【図１】
2009520177.tif 000003
【図２】
2009520177.tif 000004
【図３】
2009520177.tif 000005
【図４】
2009520177.tif 000006
【国際調査報告】
2009520177.tif 000007
2009520177.tif 000008